(57)【要約】  内容物を収納するための収納空間を形成するように、筒形状の収納壁が底面から一体に突出形成された蓋本体と、収納空間を閉鎖する遮断壁、遮断壁から延長されて収納壁の内側に強制的に嵌め込まれる第１支持壁、容器の側壁内側に強制的に嵌め込まれる第２支持壁、および第１支持壁と第２支持壁を連結するように、一定の間隔で形成されるブリッジとからなるパッキング部材を含む蓋が開示される。蓋本体とパッキング部材をあらかじめアセンブリ形態で組み立てることによって、容器との結合工程を別途に進行できるので、組立性が向上するという利点がある。
2008505025.tif 000002
【特許請求の範囲】
【請求項１】
容器と結合する蓋において、 底面の縁に一体に形成された下側および側壁を含み、内容物を収納するための収納空間を形成するように筒形状の収納壁が底面から一体に突出形成された蓋本体;
前記収納空間を閉鎖する遮断壁、前記遮断壁から延長され、前記収納壁の内側に強制的に嵌め込まれる第１支持壁、前記容器の側壁内側に強制的に嵌め込まれる第２支持壁、および前記第１支持壁と第２支持壁を連結するように、一定の間隔で形成されるブリッジとからなるパッキング部材を含むことを特徴とする開口時内容物の混合を可能にする蓋。
【請求項２】
前記遮断壁は、前記収納空間内部に頂点を有するように傾いたことを特徴とする請求項１に記載の開口時内容物の混合を可能にする蓋。
【請求項３】
前記収納壁は、前記底面に対して前記収納空間側に鋭角をなすように形成されることを特徴とする請求項１又は２記載の開口時内容物の混合を可能にする蓋。
【請求項４】
容器と結合する蓋において、底面の縁に一体に形成された下側および側壁を含み、内容物を収納するための収納空間を形成するように、筒形状の収納壁が底面から一体に突出形成され、側壁の一定位置に階段形状に折り曲げられた折曲部が形成された蓋本体;
前記収納空間を閉鎖する遮断壁、前記遮断壁から延長され、前記収納壁の内側に強制的に嵌め込まれる第１支持壁、前記容器の側壁内側に強制的に嵌め込まれる第２支持壁、および前記第１支持壁と第２支持壁を連結するように、一定の間隔で形成されるブリッジとからなるパッキング部材を含み、前記第２支持壁の一定位置で、前記第２支持壁の外周に沿って前記折曲部と、前記容器の端部の間に嵌め込まれる密閉部材が突出形成されることを特徴とする開口時内容物の混合を可能にする蓋。
【請求項５】
容器と結合する蓋において、底面の縁に一体に形成された下側および側壁を含み、内容物を収納するための収納空間を形成するように、筒形状の収納壁が底面から一体に突出形成される蓋本体;
前記収納空間を閉鎖する遮断壁、前記遮断壁から延長され、前記収納壁の内側に強制的に嵌め込まれる第１支持壁、前記容器の側壁内側に強制的に嵌め込まれる第２支持壁、および前記第１支持壁と第２支持壁を連結するように、一定の間隔で形成されるブリッジとからなるパッキング部材を含み、前記第２支持壁の端部には係止突起が突出形成され、ここに対向して前記蓋本体の側壁内側には、一定の幅と深さを有する案内溝が高さの方向に形成され、前記係止突起は、前記案内溝により移動が制限されることを特徴とする開口時内容物の混合を可能にする蓋。
【請求項６】
第１項、第４項および第５項のうちいずれか１つの蓋と、前記蓋と結合する容器を含むことを特徴とする開口時内容物の混合が可能な容器アセンブリ。
【請求項７】
蓋本体の底に形成されて収納空間と連通する貫通孔と; 密封部材によって密閉された貫通孔を有することを特徴とする第１項、第４項および第５項のうちいずれか１つの蓋。
【発明の詳細な説明】
【技術分野】
【０００１】
本発明は開口時（オープン時）に内容物の混合を可能にする蓋に関するものであり、より詳細には、蓋本体とパッキング部材をあらかじめ組み立てた状態で容器に結合するようにして、組立性を向上させた蓋に関するものである。
【０００２】
また、本発明は簡単な構造を有し、蓋を開口する場合、必要に応じてパッキング部材を容器に付着して残留するか、蓋に付着して離脱可能にする蓋に関するものである。
【背景技術】
【０００３】
飲料や化粧品などを含んでいる容器は、一般的に1つの種類の内容物を含む。従って、このような容器は、内容物を収容できる収容空間が形成された容器と、容器を気密に密封するための蓋で構成される簡単な構造を有する。
【０００４】
しかし、機能性飲料や化粧品が登場し、消費者によって使用される時点で、互いに異なる内容物を混合できる構造の容器に対する必要性が台頭した。
【０００５】
このような必要性によって提案される構造は次のようである。一般的に容器に貯蔵された内容物に添加される内容物を容器に貯蔵するためにパッキング部材が使用される。容器を密封する蓋を開口する場合、パッキング部材が容器から離脱して容器内の収容空間に入って行く。
【０００６】
このようなパッキング部材が容器内に存在することで、容器内の内容物を使用するのに大きな支障をきたすという問題点がある。また、ゾールタイプ（sol-type）の内容物に対しては、パッキング部材が低部に沈まないため流れ出る通路を塞ぐ可能性もある。
【０００７】
また、飲料の場合には、パッキング部材が飲料と共に使用者の口の中に入る危険性もある。
【０００８】
一方、このような問題点を解決するための構成も提案されているが、構造が非常に複雑であるため、部品が多く使用されて製造コストが増加するという新しい問題が起こる。
【０００９】
また、複雑な構造と関連して組立性が低下するという問題も発生する。これは容器にパッキング部材を装着し、再び蓋を結合する順に組み立てるからである。
【発明の開示】
【発明が解決しようとする課題】
【００１０】
本発明は少なくとも二つ以上の互いに異なる内容物を区画する区画部材が、容器の蓋を開口する場合、容器内の収容空間内に入らないようにする蓋を提供することにある。
【００１１】
本発明の他の目的は、蓋本体とパッキング部材が一つのアセンブリにあらかじめ組み立てられた状態で容器と結合することによって、組立性を向上させる蓋を提供する。
【００１２】
本発明のまた他の目的は、簡単な構造を有することによって、製造コストを低減することができる蓋を提供することにある。
【課題を解決するための手段】
【００１３】
本発明の他の目的と特徴および利点は、以下に記述する実施例によって、より明確に理解することができる。本発明によれば、内容物を収納するための収納空間を形成するように筒形状の収納壁が、底面から一体に突出形成された蓋本体；収納空間を閉鎖する遮断壁、遮断壁から延長されて収納壁の内側に強制的に嵌め込まれる第１支持壁、容器の側壁内側に強制的に嵌め込まれる第２支持壁、および第１支持壁と第２支持壁を連結するように、一定の間隔で形成されるブリッジとからなるパッキング部材を含む蓋が開示される。
【００１４】
本発明の他の側面によれば、内容物を収納するための収納空間を形成するように、筒形状の収納壁が底面から一体に突出形成され、側壁の一定位置に階段形状に折り曲げられた折曲部が形成された蓋本体; 収納空間を閉鎖する遮断壁、遮断壁から延長されて収納壁の内側に強制的に嵌め込まれる第１支持壁、容器の側壁内側に強制的に嵌め込まれる第２支持壁、および第１支持壁と第２支持壁を連結するように、一定の間隔で形成されるブリッジとからなるパッキング部材を含み、第２支持壁の一定位置で第２支持壁の外周に沿って折曲部と容器の端部の間に嵌め込まれる密閉部材が突出形成される蓋が開示される。
【００１５】
本発明のまた他の側面によれば、内容物を収納するための収納空間を形成するように、筒形状の収納壁が底面から一体に突出形成される蓋本体; 収納空間を閉鎖する遮断壁、遮断壁から延長されて収納壁の内側に強制的に嵌め込まれる第１支持壁、容器の側壁内側に強制的に嵌め込まれる第２支持壁、および第１支持壁と第２支持壁を連結するように、一定の間隔で形成されるブリッジとからなるパッキング部材を含み、第２支持壁の端部には係止突起が突出形成されて、ここに対向して蓋本体の側壁内側には、一定の幅と深さを有する案内溝が高さの方向に形成され、係止突起が案内溝によって移動が制限される蓋が開示される。
【００１６】
本発明のまた他の側面によれば、前記の蓋と;この蓋と結合される容器を含む容器アセンブリが開示される。
【００１７】
遮断壁は収納空間内部に頂点を有するように傾き、収納壁は底面に対して収納空間側に鋭角をなすように形成される。
【発明の効果】
【００１８】
本発明によると、容器から蓋を分離する場合、パッキング部材が容器内部に入らないことによって使用が便利であり、特に、子供が飲む飲料容器に適用する場合には、パッキング部材が、のどを通る可能性が全くないので、安全を確保することができる利点がある。
【００１９】
また、蓋本体とパッキング部材を予めアセンブリ形態で組み立てることによって、容器との結合工程を別途に進行できるので、組立性が向上するという利点がある。
【００２０】
さらに、蓋本体とパッキング部材だけでからなる簡単な構成であるので、製造コストが安いという利点もある。
【００２１】
本発明の目的、特徴および効果は次の図に示す好ましい実施例の説明によって明確に理解することができる。
【発明を実施するための最良の形態】
【００２２】
以下、添付された図を参照して本発明の好ましい実施例を具体的に説明する。
【実施例１】
【００２３】
図１は本発明の一実施例による蓋を示している一部切断した分解斜視図で、図２は図１の蓋を容器に結合した状態を示す断面図である。
【００２４】
蓋本体（１００）は底面の縁に一体に形成された下側および側壁を含み、内容物を収納するための収納空間（１１２）を形成するように、蓋本体（１００）の底面から一体に突設された筒形状の収納壁（１１０）を含む。
【００２５】
この実施例では、蓋本体（１００）の側壁が一定の位置で階段形状に折り曲げられた折曲部（１２４）を形成するようにしたが、好ましい形態を説明するために付加したものであり、折曲部を必ずしも形成する必要はない。
【００２６】
収納壁（１１０）の高さは限定される必要はないが、収納壁（１１０）の高さが蓋本体（１００）より突出されることは望ましくない。また、図３を参照すれば、収納壁（１１０）は、蓋本体（１００）の底面に対して収納空間（１１２） 側に鋭角θをなすように、形成されて矢印Aで表示したように、開かれて一定の復元力を有することが可能である。
【００２７】
パッキング部材（２００）は全体的に筒形状を構成し、収納壁（１１０）に形成される収納空間（１１２）を閉鎖する遮断壁（２１０）、遮断壁（２１０）から延長されて収納壁（１１０）の内側に強制的に嵌め込まれる第１支持壁（２１２）、容器の側壁内側に強制的に嵌め込まれる第２支持壁（２２０）、および第１支持壁（２１２）と第２支持壁（２２０）を連結するように、一定の間隔で形成されるブリッジ（２３０）とからなる。
【００２８】
遮断壁（２１０）は、収納空間（１１２）の内部に頂点を有するように傾いた漏斗形状であって、収納空間（１１２）に収納された内容物が自重により滑るようにすることができる。
【００２９】
ブリッジ（２３０）を一定の間隔で形成したことは、ブリッジ（２３０） の間で収納空間（１１２）に収納された内容物が通過して容器内部に落下できる通路を提供するためである。
【００３０】
第１支持壁（２１０）は、収納壁（１１０）に強制的に嵌め込まれるようにするために、第１支持壁（２１０）の外径が収納壁（１１０）の内径より同様であるか、大きくすることができる。同じように第２支持壁（２２０）も容器の側壁内側に強制的に嵌め込まれるように、第２支持壁（２２０）の外径が容器側壁の内径より同様であるか、大きくすることができる。
【００３１】
このとき、第２支持壁（２２０）と容器側壁の間の結合度を第１支持壁（２１０）と収納壁（１１０）の結合度より大きくし、蓋を容器から分離する場合、パッキング部材 （２００）が容器に付着して残留するようにできる。このために、前記のように、寸法を調整するか、結合される部分の面積により調整することができる。
【００３２】
第２支持壁（２２０）の高さは、図１に示すように、蓋本体（１００）の側壁内側と接触するように延長するか、図４のように短くし、蓋本体（１００）の側壁内側と接触しないようにすることができる。
【００３３】
第２支持壁（２２０）の一定位置で第２支持壁（２２０）の外周に沿って蓋本体（１００）の側壁に形成された折曲部（１２４）と、容器の端部の間に嵌め込まれる密閉部材（２２２）を突出形成することができる。
【００３４】
このように密閉部材（２２２）を形成することで、蓋と容器を結合する場合、気密性をさらに向上させることができる。
【００３５】
作動のためには、蓋本体（１００）をひっくり返った状態で、内容物供給装置（図示せず）によって収納空間（１１０）に内容物を充填する。内容物は粉末や錠剤又は液状の形態などで利用することができる。
【００３６】
次いで、適切な治具（図示せず）を用いてパッキング部材（２００）をピックアップし、蓋本体（１００）と結合させる。
【００３７】
図２を参照すれば、第１支持壁（２１２）は、収納壁（１１０）の内側から収納空間（１１２）に進入して収納壁（１１０）に強制的に嵌め込まれる。このとき、前記のように、収納壁（１１０）を蓋本体（１００）の底面に対して収納空間（１１２）側に鋭角θをなすように形成すれば、強制的に嵌め込まれた後、収納壁（１１０）の復元力によって確実に密閉固定される。この場合に必要であれば、収納壁（１１０）の端部をテーパー形状にし、第１支持壁（２１２）が円滑に嵌め込まれるようにすることができる。
【００３８】
また、第２支持壁（２２０）を蓋本体（１００）の側壁内側と接触するように延長した場合には、第１支持壁（２１２）と収納壁（１１０）そして第２支持壁（２２０）と、蓋本体（１００）の側壁の間の結合によって、より確実に結合状態を維持することができ、特に、この場合には、第１支持壁（２１２）と収納壁（１１０）の間の結合が緩んでも、内容物が漏出するのを防止することができる。
【００３９】
このように蓋本体（１００）とパッキング部材（２００）が結合されたアセンブリを容器（３００）に結合する。
【００４０】
このとき、第２支持壁（２２０）は、容器（３００）の側壁内側に強制的に嵌め込まれ、これらの間の結合度Paは、第１支持壁（２１２）と収納壁（１１０）の間の結合度Pcより大きく、また、場合によって、第２支持壁（２２１）と容器（３００）の側壁内部の間の結合度は、第１支持壁（２１２）と収納壁（１１０）の間の結合度Pcと、第２支持壁（２２０）と蓋本体（１００）の側壁との結合度Pbの和より大きい。
【００４１】
密閉部材（２２２）がある場合には、折曲部（１２４）と容器（３００）の端部の間にが介在されて気密性を向上させる。
【００４２】
このように蓋本体（１００）とパッキング部材（２００）を、先ずアセンブリ形態で組み立てることにより、容器との結合工程を別途に進行することができて組立性が向上する。特に、蓋本体とパッキング部材からなる簡単な構成であるので、製造コストが安いという利点がある。
【００４３】
一方、結合された状態で蓋本体（１００）を容器（３００）から分離すれば、第２支持壁（２２０）と容器（３００）の側壁の間の結合度Paが最も大きいため、蓋本体（１００）は、容器（３００）に対して上方に上昇し、第１支持壁（２１２）と収納壁（１１０）の間の結合が解除され、収納空間（１１２）に収納された内容物が遮断壁（２１０）から流れ、ブリッジ（２３０）の間の離隔空間を通じて容器（３００）内部に落下する。
【００４４】
蓋本体（１００）が容器（３００）から完全に分離すれば、パッキング部材（２００）のみ、容器（３００）に付着した状態で残留する。
【実施例２】
【００４５】
図５は本発明の他の実施例を示す断面図である。
【００４６】
この実施例では、蓋本体（１００）を容器（３００）から分離する場合、パッキング部材（２００）が蓋本体（１００）に付着して離脱するようにした構成を説明している。
【００４７】
即ち、第２支持壁（２２０）の端部には、係止突起（２２４）が突出形成され、ここに対向して蓋本体（１００）の側壁内側には、一定の幅と深さを有する案内溝（１２８）が高さ方向に形成される。
【００４８】
従って、係止突起（２２４）は、案内溝（１２８）によって移動が制限される。蓋本体（１００）が容器（３００）から離脱する場合、係止突起（２２４）が案内溝（１２８）にかかった状態で、パッキング部材（２００）が容器（３００）から離脱する。
【実施例３】
【００４９】
図６は本発明の他の実施例を示す断面図である。
【００５０】
この実施例では、蓋本体（１００）の底に収納空間（１１２）と連通する貫通孔（１０２）を形成し、この貫通孔（１０２）を密封部材（１５０）を用いて密封する。
【００５１】
この実施例では、密封部材（１５０）を異径の把持部（１５１）と密封部（１５２）で構成し、密封部（１５２）の縁に対応して貫通孔（１０２） 入口の周りに支持溝（１０４）を形成し、密封部材（１５０）が蓋本体（１００）と同一表面をなすようにした。
【００５２】
この実施例によれば、蓋本体（１００）にパッキング部材（２００）をあらかじめ結合しておいた状態で、蓋本体（１００）の上部から収納空間（１１０）に内容物を充填した後、密封部材（１５０）を用いて密封することができる。
【００５３】
以上、本発明の好ましい実施例を中心に説明したが、当業者の水準で多様な変更と変形が可能である。
【００５４】
例えば、収納壁は筒形状で円筒状や多角形で構成することができ、ブリッジの個数は適切に選択することができる。
【００５５】
このような変更や変形は本発明の精神を脱しない限り、本発明の権利範囲に属することは当然である。従って、本発明の範囲は前記の実施例に限定されず、以下の請求範囲によって定決しなければならない。
【図面の簡単な説明】
【００５６】
【図１】本発明の一実施例による蓋を示す一部切断した分解斜視図である。
【図２】図１の蓋を容器に結合した状態を示す断面図である。
【図３】本発明の蓋で収納壁を示す断面図である。
【図４】本発明の蓋でパッキング部材の第２支持壁の変形例を示す断面図である。
【図５】本発明の他の実施例を示す断面図である。
【図６】本発明のまた他の実施例を示す断面図である。
【図１】
2008505025.tif 000003
【図２】
2008505025.tif 000004
【図３】
2008505025.tif 000005
【図４】
2008505025.tif 000006
【図５】
2008505025.tif 000007
【図６】
2008505025.tif 000008
【国際調査報告】
2008505025.tif 000009
2008505025.tif 000010
2008505025.tif 000011